(57)【要約】【課題】本体下部と床面との距離を縮小した加熱調理器おいて本体下方に設けられた食品くずを受けるくず受け台を使用者が容易に着脱可能とすること。【解決手段】加熱調理器の外壁と同程度の幅を有し、前記加熱室３５とたて開きドアとの隙間から落ちる食品くずを受けるくず受け台４４と加熱調理器の底面に立てたピン４３を備え、前記くず受け台４４は、前記ピン４３に着脱自在な構成とすることにより、くず受け台４４の着脱時には加熱調理器の左右外壁から前記くず受け台４４の両端を摘むことが可能となるため本体下部と床面との距離を縮小した加熱調理器おいて容易に着脱できる。【選択図】  図１
2004360988.tif 000002
【特許請求の範囲】
【請求項１】
食品をヒーターによって加熱する加熱調理器において、下ヒーターは加熱室底面下に露出しない構成とし、前記加熱室とたて開きドアとの隙間から落ちる食品くずを受けるくず受け台とを備え、前記くず受け台は、加熱調理器の外壁と同程度の幅を有し、加熱調理器の底面に立てたピンに着脱自在な構成とした加熱調理器。
【請求項２】
くず受け台は、着脱を容易にするために加熱調理器の底面にガイドを有する構成とした請求項１記載の加熱調理器。
【請求項３】
ピンの下部には、くず受け台の落下を防ぐストッパを有する構成とした請求項１記載の加熱調理器。
【請求項４】
くず受け台はピンに挿入するＵ字型の開口部を形成するツメを有し、前記開口部は上部から下部に連続的に広がる形状となる請求項３記載の加熱調理器。
【請求項５】
くず受け台には加熱調理器の底面に接触する突起部を有する構成とした構成とした請求項３記載の加熱調理器。
【請求項６】
ストッパをビスで構成した請求項３記載の加熱調理器。
【発明の詳細な説明】
【０００１】
【発明の属する技術分野】
本発明は、加熱室とたて開きドアの隙間から落ちる食品くずを受けるくず受け台を有した加熱調理器に関するものである。
【０００２】
【従来の技術】
従来、この種の加熱調理器としては、例えば、図１２に記載されているようなものがあった（たとえば、特許文献１参照）。
【０００３】
図１２において、１は左右側板２と反射板３からなる調理庫を形成する内筐体、４は加熱調理器本体の前面開口部開閉するドア、５は食パン等の調理物を載置する焼き網、６は内筐体１の上下部側壁に懸架され、調理物を加熱するヒーターである。また内筐体１の下部にはコの字状に曲がり、前面部に下方に広がった開口を有したカバー７が固定され、前部に取って部８ａを有し、加熱調理器本体の底部前方より着脱自在に構成されたくず受け台８を収納している。また９は加熱を制御する操作部である。
【０００４】
【特許文献１】
特開平１１−２１８５２号公報
【０００５】
【発明が解決しようとする課題】
しかしながら、前記従来の構成では、くず受け台の前面に取っ手部を設けているため加熱調理器本体下部と床面間の距離を縮小して加熱調理器のコンパクト化を図ろうとすると、ドアが開かれた状態や操作部がさらに下方へ移動してきた状態ではドアや操作部と床面との間に手が入りにくくなるため使用者にとって取り扱いにくくなるという課題を有していた。また、くず受け台の下部にくず受け台を収納するためのカバーを有するため、加熱調理器本体下部と床面間の距離を縮小して加熱調理器のコンパクト化を図る際にはカバー前面部底面の一番低い部分と床の距離分までしか縮小できないという課題を有していた。またくず受け台は調理物の加熱中、ヒーターの輻射熱及び内筐体とカバーからの伝導熱を受けることにより手で持てなくなる程高温となり、加熱中や加熱直後、手で持てる温度に下がるまで取り外しができないという制限があった。
【０００６】
本発明は、前記従来の課題を解決するもので、くず受け台が加熱調理器の外壁と同程度の幅を有し、加熱調理器の底面に立てたピンに着脱自在な構成とすることによってコンパクト化を図った加熱調理器及び調理物の加熱中および加熱直後でもくず受け台が手で外すことが可能な加熱調理器を提供することを目的とする。
【０００７】
【課題を解決するための手段】
前記従来の課題を解決するために、本発明の加熱調理器は、食品を加熱するヒーターが加熱室底面下に露出しない構成とし、前記加熱室とたて開きドアとの隙間から落ちる食品くずを受けるくず受け台とを備え、前記くず受け台は、加熱調理器の外壁と同程度の幅を有し、加熱調理器の底面に立てたピンに着脱自在な構成としたものである。
【０００８】
これによって、くず受け台を着脱する際に加熱調理器の左右外壁からくず受け台の左右両端を指で摘むことが可能となり、加熱調理器本体下部と床面との距離の縮小を図ったコンパクトな加熱調理器においても容易に着脱できる。また加熱調理器本体下部と床面との距離を縮小してコンパクト化を図る際に、加熱調理器本体下部にくず受け台を収納するカバーがない構成であるため縮小距離はくず受け台の底面が床面に接するまで可能となる。そしてくず受け台は底面に立てられたピンに装着されているためヒーターの輻射熱を直接受けることなく、またピンからの伝導熱量が従来の構成と比較して小さいため、くず受け台の左右両端の摘む部位は加熱中及び加熱直後でも手で触れる温度であり、いつでもくず受け台を外すことが可能となる。
【０００９】
【発明の実施の形態】
請求項１に記載の発明は、食品をヒーターによって加熱する加熱調理器において、下ヒーターは加熱室底面下に露出しない構成とし、前記加熱室とたて開きドアとの隙間から落ちる食品くずを受けるくず受け台とを備え、前記くず受け台は、加熱調理器の外壁と同程度の幅を有し、加熱調理器の底面に立てたピンに着脱自在な構成とすることにより、くず受け台を着脱する際に加熱調理器本体の左右外壁からくず受け台を容易に指で摘んで着脱することが可能となり、加熱調理器本体下部と床面との距離を縮小し、コンパクト化を図ることができる。また、くず受け台は加熱調理器の底面に立てたピンに装着されて固定されるため、くず受け台を収納するカバーを必要としないことから加熱調理器の本体下部と床面との距離を縮小し、コンパクト化を図る際にくず受け台の底面が床面に接するまで可能となる。そしてくず受け台は底面に立てられたピンに装着されているためヒーターの輻射熱を直接受けることなく、またピンからの伝導熱量が小さいため、くず受け台の左右両端の摘む部位は加熱中及び加熱直後でも手で触れることからいつでもくず受け台を取り外すことが可能となる。
【００１０】
請求項２に記載の発明は、特に、請求項１に記載の加熱調理器をくず受け台は、加熱調理器の底面にガイドを有する構成とすることにより、くず受け台を装着する際にガイドでくず受け台の挿入をピンへ案内するようになり、コンパクト化が図られた加熱調理器において使用者からくず受け台を着脱するピンが見えにくくてもくず受け台の左右両端を指で摘んで加熱調理器の左右外壁に概ね合わせるだけで自然にくず受け台をピンに装着することができる。
【００１１】
請求項３に記載の発明は、特に、請求項１に記載の加熱調理器をピンの下部には、くず受け台の落下を防ぐストッパを有する構成とすることにより、くず受け台がピンに装着されるとストッパがくず受け台を支持するため、滑り落ちたり傾いた状態で装着されることが無くなる。
【００１２】
請求項４に記載の発明は、特に、請求項３に記載の加熱調理器をくず受け台はピンに挿入するＵ字型の開口部を形成するツメを有し、前記開口部は上部から下部に連続的に広がる形状となるような構成とすることによりくず受け台を装着する際にピンよりくず受け台が下方に位置している場合においても水平に押し込むだけでツメ部が自然に持ち上がるため、コンパクト化が図られた加熱調理器において使用者からくず受け台を着脱するピンが見えにくくてもくず受け台の左右両端を指で摘んで加熱調理器の左右外壁に概ね合わせるだけで自然にくず受け台をピンに装着することができる。
【００１３】
請求項５に記載の発明は、特に、請求項３に記載の加熱調理器をくず受け台には加熱調理器の底面に接触する突起部を有する構成とすることにより、くず受け台に食品くずが溜まり、くず受け台の受け部が重くなってきた際に、ピンを支点としてくず受け台の突起部が加熱調理器の底面に接触してくず受け台を支持することからくず受け台が食品くずの重みで傾き食品くずがこぼれ落ちることを防ぐことができる。
【００１４】
請求項６に記載の発明は、特に、請求項１に記載の加熱調理器をストッパをビスで構成することによりくず受け台のピンからの落下を容易に実現できる。
【００１５】
【実施例】
以下本発明の実施例について、図面を参照しながら説明する。
【００１６】
（実施例１）
図１は、本発明の第１の実施例における加熱調理器の図３のＡ−Ａ線における断面図を示すものである。
【００１７】
図２、図３は本発明の第１の実施例における加熱調理器の斜視図を示すものである。ここでは加熱調理器を代表するトースターレンジについて説明する。
【００１８】
図１において、板金をＵの字に曲げた左右、後を構成する庫内側壁３１と庫内上板３２と庫内底板３３及びドアイタ３４がカシメ、溶接等で締結され加熱室３５を構成しており、加熱室３５内には庫内底板３３上に取り外し可能な食パン等の食品を載置する網３６と庫内上板３２、及び庫内底板３３にそれぞれヒーター３７、３８が懸架され、特に庫内底板３３は庫内底板３３に落ちた食品くずを使用者が清掃し易いようにヒーター３８を加熱室３５内に露出しない構成となっている。また加熱室３５前方は食品の出し入れ時に立て開きに開閉するドア３９で構成されており、ドア３９は高周波加熱時に電波シールの機能を持った厚さ約２０ｍｍの曲げ加工された板金と前記板金の外側に加熱室内の熱や水蒸気をシールする樹脂製の外枠から構成されており、厚さが約３０ｍｍ程度のものである。また加熱室下方には、加熱調理器の底面を形成する板金から成る底板４０が庫内側壁３１とドアイタ３４にビス等で締結されており底板４０の前後には脚４１を固定する絞り部４０ａ、４０ｂがある。ドア３９はドア３９の左右両端２個所で庫内底面３３及び底板４０にビス等で締結されたヒンジ４２に固定されているが、ドア３９を閉じた時にドアイタ３４に密着させるとドア３９を開いた状態ではドア３９と庫内底板３３との間には約１０ｍｍ程度隙間が空いた状態となる。そして底板４０の前方にはピン４３が２本立てられた状態で固定されており、ドア３９と底板４０の下方にはドア３９と庫内底板３３との間に落ちた食品くずを受けるように受け口４４ａと受け口４４ａの側壁にピン４３に挿入される２箇所のツメ部４４ｂを有し、加熱調理器の外壁と同程度の幅を有するくず受け台４４がピン４３に着脱自在な構成となって取り付いている。また、受け口４４ａはドア３９と庫内底板３３から成る隙間より前後左右方向に大きく、さらに受け口４４ａを形成する後方の壁と底板４０との隙間は着脱時に障害とならない程度に小さくした構成となっている。
【００１９】
以上のように構成された加熱調理器について、以下にその動作、作用を説明する。
【００２０】
まず、食品の出し入れの際や庫内底板３３上に溜まった食品くずを使用者が布巾等で清掃する際にドア３９と庫内底板３３の隙間から落ちた食品くずは受け口４４ａへ落ちるが、受け口４４ａがドア３９と庫内底板３３との隙間より広く受けられているため食品くずは全て受け口４４ａに溜まる。くず受け台４４は加熱調理器の左右外壁からくず受け台４４の左右両端を摘み加熱調理器前方に引き出すことによってピン４２から外れることから、加熱調理器下方の使用者から見えにくい場所にくず受け台４４が装着されていてもくず受け台４４に溜まった食品くずを容易に清掃することが可能となり、くず受け台を加熱調理器正面から掴む必要が無いため、底板４０の絞り部４０ａ、４０ｂ及び脚４１の高さを小さくして加熱調理器のコンパクト化を図ることも可能となる。また、食品くずが溜まった状態のくず受け台４４を外すときに受け口４４ａを形成している後方の壁と底板との隙間を小さくしているため、使用者が手ぶれによって食品くずをくず受け台４４の後方にこぼし、加熱調理器本体下方の床面に落ちて清掃性が悪くなることを防ぐことができる。そして、くず受け台４４はピン４３に着脱する構成となっているためくず受け台４４の下方にくず受け台４４を収納するカバーを必要としないため前記同様のコンパクト化が図れる。また、くず受け台を外す際には、熱源から離れた左右両端を摘むこととピン４３からのくず受け台への伝導熱量は従来構成と比較して小さいことから、加熱中及び加熱直後においてもくず受け台の清掃が可能となる。
【００２１】
以上のように、本実施例においては、加熱室とたて開きドアとの隙間から落ちる食品くずを受けるくず受け台が加熱調理器の外壁と同程度の幅を有し、加熱調理器の底面に立てたピンに着脱自在な構成とすることにより、くず受け台に溜まった食品くずを容易に清掃することができる。また、加熱調理器の外壁からくず受け台の左右両端を摘んで着脱することとくず受け台の収納カバーが不必要のため加熱調理器のコンパクト化が実現できる。また、くず受け台の左右両端を摘むこととピンからの伝導熱量が小さいことから加熱中及び加熱直後においてもくず受け台を外すことができる。
【００２２】
次にくず受け台４４が有するガイドについて説明する。
【００２３】
図４はくず受け台に設けたガイドの斜視図、図５は図３または図４のＢ−Ｂ線における断面図を示す。
【００２４】
くず受け台のツメ部４４ｂの先端はピン４３の外形より大きな開口部を有し、ガイド部４４ｃは先端上面にＲ部を有する。そしてくず受け台を挿入する途中、ガイド部４４ｃが底板４０の底面に沿うため高さ方向の位置が使用者にわかり易くなり、また左右方向についてはツメ部先端が挿入し易い形状となっていることからくず受け台を装着する際に概ね加熱調理器の左右外壁にくず受け台の左右両端を合わせて押し込むだけで自然に装着可能となる。
【００２５】
次にくピンの下部にストッパを有する構成について説明する。
【００２６】
図６はくず受け台に設けたストッパ付きピンの斜視図、図７は図６のＣ−Ｃ線におけるピン４３及びくず受け台の断面図を示す。
【００２７】
ピン４３の下部にはストッパ４３ａが設けられているため一旦くず受け台４４のツメ部４４ｂが装着されるとくず受け台４４がピン４３から滑り落ちたり傾い装着されることが防がれる。またツメ部４４ｂとピン４３の勘合を緩めにして着脱性を向上することが可能となる。
【００２８】
次にピン４３の下部にストッパを有し、ツメ部４４ｂの開口部に上部から下部にかけて広がった形状を有する構成について説明する。
【００２９】
図８はピン４３及びツメ部４４ｂの斜視図、図９は図８のＤ−Ｄ線における断面図を示す。
【００３０】
ツメ部４４ｂのストッパ４３ａとの勘合部には距離ｈから距離ｉにかけて連続的に広がりを持つ稜線４４ｄを両側に設けた構成となっている。このためくず受け台４４を装着する際に水平方向に押し込むだけで、くず受け台４４の位置がピンより下方であってもストッパ４３ａが稜線４４ｄに接しながら自然と持ち上がりながら装着可能となる。
【００３１】
次にピンの下部にストッパを有し、くず受け台は加熱調理器の底面に接触する突起部を有する構成について説明する。
【００３２】
図１０はくず受け台４４とピン４３の装着時の断面図を示す。
【００３３】
くず受け台４４の側壁には加熱調理器の底面４０に接する突起部４５が設けられている。このためくず受け台４４に溜まった食品くずの重みでくず受け台４４が傾き、食品くずがこぼれ落ちようとするのをストッパ４３を支点として突起部４５が底板４０で支持するため防ぐことが可能となる。
【００３４】
次にストッパをビスで構成した場合について説明する。
【００３５】
図１１はストッパをビスで構成した断面図を示す。
【００３６】
底板４０に設けた突き出し穴４０ｃに金属製のビス４６を固定した構成となっている。このためビスの頭部分がストッパ部に相当し、簡単にピンの構成が可能となり、例えば汎用品の金属製ビスを使用することにより樹脂部品で専用のピンを形成するより安価で耐久性もより優れている。
【００３７】
【発明の効果】
以上のように、本発明によれば、くず受け台を着脱する際にくず受け台の左右両端を指で掴むことが可能となり、加熱調理器本体下部と床面との距離の縮小を図ったコンパクトな加熱調理器においても容易に着脱できる。また加熱調理器本体下部と床面との距離を縮小してコンパクト化を図る際に、加熱調理器本体下部にくず受け台を収納するカバーがない構成であるため縮小距離はくず受け台の底面が床面に接するまで可能となる。そしてくず受け台は底面に立てられたピンに装着されているためヒーターの輻射熱を直接受けることなく、またピンからの伝導熱量が従来の構成と比較して小さいため、くず受け台の左右両端の摘む部位は加熱中及び加熱直後でも高温にならないことからいつでもくず受け台を外すことができる。
【図面の簡単な説明】
【図１】本発明の実施例１における加熱調理器の図３のＡ−Ａ線における断面図
【図２】本発明の実施例１における加熱調理器の斜視図
【図３】本発明の実施例１における加熱調理器の底からみた斜視図
【図４】本発明の実施例１における加熱調理器のくず受け台に設けたガイドの斜視図
【図５】本発明の実施例１における加熱調理器の図３または図４のＢ−Ｂ線における断面図
【図６】本発明の実施例１における加熱調理器のくず受け台に設けたストッパ付きピンの斜視図
【図７】本発明の実施例１における加熱調理器の図６のＣ−Ｃ線におけるピン及びくず受け台の断面図
【図８】本発明の実施例１における加熱調理器のピン及びツメ部の斜視図
【図９】本発明の実施例１における加熱調理器の図８のＤ−Ｄ線における断面図
【図１０】本発明の実施例１における加熱調理器のくず受け台とピンの装着時の断面図
【図１１】本発明の実施例１における加熱調理器のストッパをビスで構成した断面図
【図１２】従来の加熱調理器の断面図
【符号の説明】
３１  庫内側壁
３２  庫内上板
３３  庫内底板（加熱室底面）
３４  ドアイタ
３５  加熱室
３６  網
３７  ヒーター（上ヒータ）
３８  ヒーター（下ヒータ）
３９  ドア
４０  底板
４０ａ、４０ｂ  絞り部
４０ｃ  突き出し穴
４１  脚
４２  ヒンジ
４３  ピン
４３ａ  ストッパ
４４  くず受け台
４４ａ  受け口
４４ｂ  ツメ部
４４ｃ  ガイド
４４ｄ  稜線
４５  突起部
４６  ビス
【図１】
2004360988.tif 000003
【図２】
2004360988.tif 000004
【図３】
2004360988.tif 000005
【図４】
2004360988.tif 000006
【図５】
2004360988.tif 000007
【図６】
2004360988.tif 000008
【図７】
2004360988.tif 000009
【図８】
2004360988.tif 000010
【図９】
2004360988.tif 000011
【図１０】
2004360988.tif 000012
【図１１】
2004360988.tif 000013
【図１２】
2004360988.tif 000014